(57)【特許請求の範囲】
【請求項１】
湯水を給湯する給湯路と、
浴槽に対してそれぞれ接続される往き配管および戻り配管を有する循環路と、
これら給湯路、往き配管および戻り配管との間での流路を切り換える流路切換手段と、
前記循環路に設けられた循環ポンプと、
前記循環路の戻り配管に設けられた圧力センサと、
前記浴槽への湯はり時に、前記流路切換手段による流路切換で給湯路から少なくとも戻り配管に給湯させて戻り配管内に湯水を満たし、この戻り配管内に湯水を満たした状態で前記流路切換手段による流路切換により給湯路から往き配管を通じて浴槽に給湯させながら、前記戻り配管に設けられている前記圧力センサで検知される圧力を監視し、前記浴槽内の湯水の水位が前記戻り配管の接続高さに達して前記浴槽内の湯水の水圧が前記圧力センサに加わることによる圧力変化が検知されたら、その圧力変化する前の前記圧力センサで検知される圧力値を基準として湯はり設定水位に対応した圧力変化分を給湯させる湯はり制御手段と、
前記圧力変化が検知された時点で、前記圧力センサで検知される圧力値が変動しているとき、その変動した圧力値を基準として前記湯はり制御手段により湯はりさせる補正制御手段と
を備えていることを特徴とする浴槽用給湯装置。
【請求項２】
補正制御手段は、圧力センサで検知される圧力値が下降変動したとき、その下降変動した圧力値を基準として湯はり制御手段により湯はりさせる
ことを特徴とする請求項１記載の浴槽用給湯装置。
【請求項３】
補正制御手段は、圧力センサで検知される圧力値が上昇変動しかつ水位上昇時の上昇変化よりも大きく上昇変動したとき、上昇変動した圧力値を基準として湯はり制御手段により湯はりさせる
ことを特徴とする請求項１または２記載の浴槽用給湯装置。
【発明の詳細な説明】
【０００１】
【発明の属する技術分野】
本発明は、自動湯はり機能を有する浴槽用給湯装置に関する。
【０００２】
【従来の技術】
従来、例えば、特開平６−１４７６４３号公報に記載されているように、自動湯はり機能を有する循環保温式の浴槽用給湯装置においては、循環路の往き配管および戻り配管を浴槽の循環金具に接続し、この循環路の往き配管には循環ポンプおよび保温ヒータを設け、戻り配管には循環用電動弁および圧力センサを設けている。循環路には、ミキシングバルブによって設定湯温に調整された湯水を給湯する給湯路を接続し、この給湯路に給湯用電動弁および流量センサを設けている。
【０００３】
そして、浴槽の大きさなどのデータがない状態での初回湯はり時には、給湯用電動弁および循環用電動弁を開放し、給湯路から循環路の往き配管および戻り配管の２管を通じて浴槽に給湯し、所定量の湯水を給湯したら循環用電動弁を閉じて往き配管の１管を通じて浴槽に給湯し、浴槽の水位を圧力センサで検知可能な状態とする。この状態では、図１９（ａ）（ｂ）に示すように、戻り配管内に満たされた湯水の圧力を圧力センサで検知していて、圧力センサの圧力値Ｐ０は一定になっている。そして、浴槽内の湯水の水位が循環金具の高さに達して浴槽内の湯水と戻り配管内の湯水とがつながることで、それまで戻り配管内に満たされた湯水の圧力を検知していて一定だった圧力センサの圧力値が上昇変化を開始し、一定だったときの圧力値Ｐ０を基準として湯はり設定水位までの圧力変化量ΔＰ分に対応する湯水を給湯して湯はりしている。このとき、水位と給湯量との対応関係を記憶部に記憶しておく。
【０００４】
また、２回目以降の次回湯はり時には、記憶部に記憶されている水位と給湯量との対応関係に基づき、湯はり設定水位に対応する給湯量分の湯水を給湯路から循環路の往き配管および戻り配管の２管を通じて浴槽に給湯し、湯はり設定水位まで湯はりするようにしている。
【０００５】
【発明が解決しようとする課題】
上述のように、従来の浴槽用給湯装置では、初回湯はり時に、循環路の往き配管および戻り配管の２管を通じて浴槽に湯水を給湯することで、各配管内のエア抜きをして湯水を満たすことが可能であるが、例えば、戻り配管内のエア抜きが不完全であったり、配管途中が障害物などを迂回するために上下方向に大きく屈曲されて設置されるなどの配管条件などによっては、戻り配管に設けられた圧力センサでの圧力検知にも影響を与え、初回湯はり時のデータ取り、および次回湯はり時での湯はり設定水位に対する正確な湯はりができないことがある。
【０００６】
例えば、図１９（ａ）に破線で示すように、戻り配管内に湯水を満たしてもエアが残っていたときに、圧力センサで検知されていた圧力値Ｐ０が圧力値Ｐ１に下降変動することがあるが、この場合でも、一定だったときの圧力値Ｐ０を基準として所定の圧力変化量ΔＰ分に対応する湯水を給湯して湯はりするので、圧力値Ｐ１から圧力値Ｐ０に上昇変化する圧力変化量α分についても実際には給湯済みであるにもかかわらずさらに給湯することになり、その分の給湯量が増加し、実際の湯はり水位｛Ｐ０＋ΔＰ＋（Ｐ０−Ｐ１）｝が湯はり設定水位よりも上昇してしまう。
【０００７】
また、図１９（ｂ）に破線で示すように、戻り配管内に湯水を満たした後に戻り配管内のエアが抜けて減ったときには、圧力センサで検知されていた圧力値Ｐ０が圧力値Ｐ２に急激に上昇変動することがあるが、この場合でも、一定だったときの圧力値Ｐ０を基準として所定の圧力変化量ΔＰ分に対応する湯水を給湯して湯はりするので、圧力値Ｐ０から圧力値Ｐ２に上昇変化した分については実際には給湯していないにもかかわらず給湯したものと判断してしまい、その分の給湯量が減少し、実際の湯はり水位｛Ｐ０＋（ΔＰ−Ｐ２）｝が湯はり設定水位よりも低下してしまう。
【０００８】
本発明は、このような点に鑑みなされたもので、戻り配管内に残るエアや配管条件などの影響による圧力センサで検知する圧力値の変動に対応し、湯はり設定水位に正確に湯はりできる浴槽用給湯装置を提供することを目的とする。
【０００９】
【課題を解決するための手段】
請求項１記載の浴槽用給湯装置は、湯水を給湯する給湯路と、浴槽に対してそれぞれ接続される往き配管および戻り配管を有する循環路と、これら給湯路、往き配管および戻り配管との間での流路を切り換える流路切換手段と、前記循環路に設けられた循環ポンプと、前記循環路の戻り配管に設けられた圧力センサと、前記浴槽への湯はり時に、前記流路切換手段による流路切換で給湯路から少なくとも戻り配管に給湯させて戻り配管内に湯水を満たし、この戻り配管内に湯水を満たした状態で前記流路切換手段による流路切換により給湯路から往き配管を通じて浴槽に給湯させながら、前記戻り配管に設けられている前記圧力センサで検知される圧力を監視し、前記浴槽内の湯水の水位が前記戻り配管の接続高さに達して前記浴槽内の湯水の水圧が前記圧力センサに加わることによる圧力変化が検知されたら、その圧力変化する前の前記圧力センサで検知される圧力値を基準として湯はり設定水位に対応した圧力変化分を給湯させる湯はり制御手段と、前記圧力変化が検知された時点で、前記圧力センサで検知される圧力値が変動しているとき、その変動した圧力値を基準として前記湯はり制御手段により湯はりさせる補正制御手段とを備えているものである。
【００１０】
そして、浴槽への湯はり時に、流路切換で給湯路から少なくとも戻り配管に給湯して戻り配管内に湯水を満たし、この戻り配管内に湯水を満たした状態で流路切換により給湯路から往き配管を通じて浴槽に給湯しながら、戻り配管に設けられている圧力センサで検知される圧力を監視し、浴槽内の湯水の水位が戻り配管の接続高さに達して浴槽内の湯水の水圧が圧力センサに加わることによる圧力変化が検知されたら、その圧力変化する前の圧力センサで検知される圧力値を基準として湯はり設定水位に対応する圧力変化分を給湯して湯はりする。また、浴槽内の湯水の水位が戻り配管の接続高さに達して浴槽内の湯水の水圧が圧力センサに加わることによる圧力変化が検知された時点で、圧力センサで検知される圧力値が変動しているときには、その変動した圧力値を基準として湯はりすることにより、戻り配管内に残るエアや配管条件などの影響による圧力センサで検知する圧力値の変動に対応し、湯はり設定水位に正確に湯はりする。
【００１１】
請求項２記載の浴槽用給湯装置は、請求項１記載の浴槽用給湯装置において、補正制御手段は、圧力センサで検知される圧力値が下降変動したとき、その下降変動した圧力値を基準として湯はり制御手段により湯はり設定水位まで湯はりさせるものである。
【００１２】
そして、圧力センサで検知される圧力値が下降変動したときを、圧力値の変動の基準点として確実に捉えられる。
【００１３】
請求項３記載の浴槽用給湯装置は、請求項１または２記載の浴槽用給湯装置において、補正制御手段は、圧力センサで検知される圧力値が上昇変動しかつ水位上昇時の上昇変化よりも大きく上昇変動したとき、上昇変動した圧力値を基準として湯はり制御手段により湯はり設定水位まで湯はりさせるものである。
【００１４】
そして、圧力センサで検知される圧力値が上昇変動しかつ水位上昇時の上昇変化よりも大きく上昇変動したときを、圧力値の変動の基準点として確実に捉えられる。
【００１５】
【発明の実施の形態】
以下、本発明の一実施の形態を図面を参照して説明する。
【００１６】
図１は浴槽用給湯装置の構成図を示し、屋内の浴室などに浴槽１１が配設され、屋外などに給湯源としての電気温水器１２、および湯はりユニット１３が配設されている。
【００１７】
電気温水器１２は、先止押上式の給水給湯方式を採用しており、貯湯タンク２１内の底部側にヒータ２２が配設されており、貯湯タンク２１の下部に水源側の水道に直結された給水管２３の配管部２３ａが接続され、貯湯タンク２１の上部に湯はりユニット１３や、浴室のシャワーや湯水混合栓、台所の湯水混合栓および洗面所の湯水混合栓などの各給湯場所に導かれる給湯管２４が接続されている。この貯湯タンク２１の上下方向の複数箇所には、残湯量、湯温、給水温度などを検知する複数の温度検知センサ２５が配設されている。
【００１８】
そして、先止押上式の電気温水器１２では、ヒータ２２で貯湯タンク２１内の湯水を設定温度に沸き上げ、各給湯場所からの出湯時に貯湯タンク２１の下部に給水される水圧で湯水が押し上げられて給湯管２４を通じて給湯する。貯湯タンク２１内の上部の湯層と下部の常温水層とは湯水混合層を介して分離されており、湯の使用に伴って混合層が上昇する。
【００１９】
また、湯はりユニット１３は、モータ３１ａを駆動源とする電動式のミキシングバルブ３１を有し、このミキシングバルブ３１に給水管２３の配管部２３ｂと給湯管２４とがそれぞれ接続されている。ミキシングバルブ３１により、給水管２３からの水と電気温水器１２からの湯が混合されるとともに、水と湯との混合割合により湯温が設定温度に調整される。
【００２０】
ミキシングバルブ３１から湯温調整された湯水が供給される配管３２にはホッパ３３の上部が接続され、このホッパ３３は、断水などで給水圧力が低下した場合に給水管２３側および給湯管２４側と浴槽１１側とを分離するもので、浴槽１１より高い位置に設置され、ホッパ３３の下部側に湯水を流す配管３４が接続されている。ホッパ３３内には、配管３２側から配管３４側への湯水の流通路を開閉する給湯手段としての例えばソレノイドやモータを駆動源とした給湯用電動弁３５（図４に示す）が配設されている。
【００２１】
ホッパ３３からの配管３４には、配管３４を流れる給湯量を検知する流量センサ３６が配設されている。そして、ミキシングバルブ３１、配管３２、ホッパ３３、配管３４および流量センサ３６などにて給湯路３７が構成されている。
【００２２】
ホッパ３３からの配管３４の先端には流路切換手段としての流路切換用電動弁３８を介して循環路３９に接続されている。循環路３９は、往き配管４０および戻り配管４１を有し、これら往き配管４０および戻り配管４１の一端側が浴槽１１に設置される循環金具４２に一体的に接続され、他端側が流路切換用電動弁３８に接続されている。往き配管４０には、流路切換用電動弁３８側から浴槽１１側に往き配管４０内の湯水を強制的に送って循環路３９内の湯水を強制的に循環させる循環ポンプ４３、循環路３９内の湯水の流れを検知するフロースイッチ４４、循環路３９内の湯水の温度を検知するふろサーミスタ４５、循環路３９内を流れる湯水を加熱保温する保温ヒータ４６が配設されている。戻り配管４１には、浴槽１１内の水位を検知するための圧力センサ（水位センサ）４７が配設されている。
【００２３】
流路切換用電動弁３８は、図２に示すように、給湯路３７、往き配管４０および戻り配管４１の３つの配管接続口を有する弁箱４８、およびこの弁箱４８内でモータ４９の駆動により回動されて流路を切り換える弁体５０を有し、図２（ａ）（ｂ）には給湯路３７と戻り配管４１とを接続する流路、図２（ｃ）（ｄ）には給湯路３７と往き配管４０とを接続する流路、図２（ｅ）（ｆ）には給湯路３７と往き配管４０および戻り配管４１とを接続する流路、図２（ｇ）（ｈ）には往き配管４０と戻り配管４１とを接続する流路を示す。このように、流路切換用電動弁３８は、給湯路３７と往き配管４０とを接続する流路、給湯路３７と戻り配管４１とを接続する流路、給湯路３７と往き配管４０および戻り配管４１とを接続する流路、往き配管４０と戻り配管４１とを接続する流路の４つの流路に切り換える１つの一体形の流路切換弁であるので、流路を容易かつ確実に切り換えることができる。
【００２４】
また、図３に浴室の壁面などに配設されて湯はりユニット１３を操作するリモコン５１を示し、このリモコン５１は、リモコン５１の表面に臨む表示器５２および操作部５３、図示しない蓋体で開閉される操作部５４を有している。表示器５２には、時刻、浴槽１１の湯はり設定水位（湯量）および湯温、給湯温度、その他の動作の表示などが表示されるもので、図には全ての表示箇所を同時に表示した状態を示す。操作部５３には、自動湯はりの設定および設定解除を指示するふろ自動スイッチ（自動湯はりスイッチ）５５、他のリモコンに対して優先を指示する優先スイッチ５６、高温の差し湯を指示する高温差し湯スイッチ５７、他のリモコンでの呼出音の発生を指示する呼出スイッチ５８が配設されている。操作部５４には、浴槽１１内の湯温を調整設定するふろ湯温スイッチ５９、浴槽１１の湯はり設定水位を調整設定するふろ湯量スイッチ６０、給湯温度を調整設定する給湯スイッチ６１、足し湯を指示する足し湯スイッチ６２、差し水を指示する差し水スイッチ６３、洗浄スイッチ６４が配設されている。なお、ふろ自動スイッチ５５、優先スイッチ５６および高温差し湯スイッチ５７に隣接して、各スイッチ５５〜５７のオン状態を表示する発光ダイオード６５が配設されている。
【００２５】
また、図４に湯はりユニットのブロック図を示し、７１は制御回路で、この制御回路７１は、基板７２上に形成されており、制御手段としてのＣＰＵ７３、ＲＯＭ７４、および記憶手段としてのＲＡＭ７５などを有している。
【００２６】
基板７２には、商用電源が漏洩遮断器７６を介して接続され、商用電源を制御用電源に変換する電源トランス７７が接続され、漏洩遮断器７６にリミッタ７８を介して接続される循環ポンプ４３、および漏洩遮断器７６にリミッタ７８および保温ヒータ４６とともに直列に配列される開閉器７９が接続されている。漏洩遮断器７６には湯はりユニット１３内に設置される凍結防止用ヒータ８０、および設定温度以下に低下したときに凍結防止用ヒータ８０に通電する凍結防止サーモ８１が接続されている。
【００２７】
基板７２には、ミキシングバルブ３１、給湯用電動弁３５、流路切換用電動弁３８およびリモコン５１が接続されているとともに、流量センサ３６、フロースイッチ４４、ふろサーミスタ４５および圧力センサ４７が接続されている。
【００２８】
なお、圧力センサ４７の検出値はＡ／Ｄ変換されてＣＰＵ７３に入力され、ＣＰＵ７３では、ある程度の水位差に対応する圧力センサ４７の検出値をもって、水位変化を１単位として読み取ることができる。例えば２５ｍｍ程度の水位変化毎に、水位変化を＋１ポイントまたは−１ポイントとして読み取ることになる。
【００２９】
また、ＣＰＵ７３は、浴槽１１への湯はり時に、流路切換用電動弁３８で給湯路３７と戻り配管４１とを接続させて所定量の湯水を戻り配管４１に給湯した後、湯はり設定水位まで湯はり制御する機能を有している。すなわち、初回湯はり時に、流路切換用電動弁３８で給湯路３７と戻り配管４１とを接続させて所定量の湯水を戻り配管４１に給湯した後、流路切換用電動弁３８で給湯路３７と往き配管４０とを接続させて往き配管４０を通じて浴槽１１に給湯し、浴槽１１の水位が戻り配管４１の接続高さに達して浴槽１１内の水圧が圧力センサ４７に加わる圧力変化点を検知してから、湯はり設定水位までの水位と流量センサ３６で検知される給湯量との対応関係をＲＡＭ７５に記憶させ、湯はり設定水位に湯はりする初回湯はり制御手段の機能、ＲＡＭ７５に水位と給湯量との対応関係が記憶されている状態での次回湯はり時に、流路切換用電動弁３８で給湯路３７と戻り配管４１とを接続させて所定量の湯水を戻り配管４１に給湯した後、流路切換用電動弁３８で給湯路３７に対して往き配管４０の１管が接続する流路と往き配管４０および戻り配管４１の２管が接続する流路とのいずれかに切り換え、ＲＡＭ７５に記憶されている水位と給湯量との対応関係に基づいて湯はり設定水位に対応する給湯量分を給湯し、湯はり設定水位に湯はりする次回湯はり制御手段の機能を有している。この他、ＣＰＵ７３は、タイマ機能なども有している。
【００３０】
さらに、ＣＰＵ７３は、浴槽１１への湯はり時に、流路切換用電動弁３８による流路切換で給湯路３７から少なくとも戻り配管４１に給湯させて湯水を満たした状態で給湯路３７から往き配管４０を通じて浴槽１１に給湯させ、浴槽１１内の湯水の水位が戻り配管４１の接続高さに達する前の圧力センサ４７で検知される圧力値を基準として湯はり設定水位に対応した圧力変化分を給湯させる湯はり制御手段の機能、浴槽１１内の湯水の水位が戻り配管４１の接続高さに達する時点までに圧力センサ４７で検知される圧力値が変動したとき、その変動した圧力値を基準として湯はり制御手段により湯はりさせる補正制御手段の機能を有している。
【００３１】
補正制御手段の機能では、圧力センサ４７で検知される圧力値が下降変動したとき、その下降変動した圧力値を基準として湯はり制御手段により湯はりさせる機能、圧力センサ４７で検知される圧力値が上昇変動しかつ水位上昇時の上昇変化よりも大きく上昇変動したとき、上昇変動した圧力値を基準として湯はり制御手段により湯はりさせる機能を有している。
【００３２】
次に、浴槽用給湯装置の作用を説明する。
【００３３】
電気温水器１２は、深夜電力時間帯などの特定時間帯において、貯湯タンク２１に給水されている常温水および残湯として使われなかった湯水を設定温度に沸き上げる。
【００３４】
そして、図６のフローチャートを参照して、浴槽１１への湯はりについて説明する。リモコン５１のふろ自動スイッチ５５をオンすると（ステップ１）、自動運転継続タイマをスタートし（ステップ２）、ＲＡＭ７５に水位と給湯量との対応関係の基準データがあるか、すなわち設置後または制御回路７１のリセット後の初回湯はりか否か判断する（ステップ３）。
【００３５】
基準データがなく、初回湯はりであれば、ＣＰＵ７３の初回湯はり制御手段による初回湯張り動作を実行し（ステップ４）、また、基準データがあり、２回目以降の次回湯はりであれば、ＣＰＵ７３の次回湯はり制御手段による次回湯はり動作を実行する（ステップ５）。
【００３６】
次に、図７ないし図１３のフローチャートを参照して、初回湯はりについて説明する。初回湯はりでは、浴槽１１の形状などに対応した固有の水位と給湯量との対応関係などの基準データを収集する。
【００３７】
リモコン５１のふろ自動スイッチ５５のオンにより、初回湯はり動作を開始すると、まず、図７に示すように、循環路３９の往き配管４０に湯水を満たして循環ポンプ４３の呼び水とする処理を開始する。すなわち、流路切換用電動弁３８で給湯路３７と往き配管４０とを接続する流路に切り換え（ステップ１１）、ミキシングバルブ３１をリモコン５１で設定される設定温度に調整し（ステップ１２）、給湯用電動弁３５を開き（ステップ１３）、流量センサ３６による流量のカウントをスタートする（ステップ１４）。これにより、ミキシングバルブ３１で設定温度に調整された湯水を給湯路３７から往き配管４０の１管に給湯するとともに往き配管４０内に満たし、循環ポンプ４３の呼び水とする。このとき、湯水を往き配管４０の１管に給湯することにより、往き配管４０内を流れる湯水の圧力が高く、流量も多くなるので、往き配管４０内のエア抜きを確実にできる。
【００３８】
流量センサ３６で検知される湯水の給湯量が所定量、例えば１リットルに達するまでの間は（ステップ１５）、流量センサ３６にエラーが発生しているか（ステップ１６）、給湯を開始してから所定時間、例えば３０秒経過したか判断する（ステップ１７）。流量センサ３６にエラーが発生していれば、ミキシングバルブ３１による設定温度への調整を停止し（ステップ１８）、制御回路７１の有する初期値、例えば４２℃に設定する（ステップ１９）。流量センサ３６で検知される湯水の給湯量が１リットルに達するか、３０秒経過したら、給湯用電動弁３５を閉じる（ステップ２０）。
【００３９】
続いて、図８に示すように、循環路３９の戻り配管４１に湯水を満たす処理を開始する。すなわち、流路切換用電動弁３８で給湯路３７と戻り配管４１とを接続する流路に切り換え（ステップ２１）、ミキシングバルブ３１をリモコン５１で設定される設定温度に調整し（ステップ２２）、給湯用電動弁３５を開き（ステップ２３）、流量センサ３６による流量のカウントをスタートする（ステップ２４）。これにより、ミキシングバルブ３１で設定温度に調整された湯水を給湯路３７から戻り配管４１の１管を通じて給湯するとともに戻り配管４１内に満たす。このとき、湯水を戻り配管４１の１管を通じて給湯することにより、戻り配管４１内を流れる湯水の圧力が高く、流量も多くなるので、戻り配管４１内のエア抜きを確実にできる。
【００４０】
流量センサ３６で検知される湯水の給湯量が所定量、例えば３リットルに達するまでの間は（ステップ２５）、流量センサ３６にエラーが発生しているか（ステップ２６）、給湯を開始してから所定時間、例えば１分経過したか判断する（ステップ２７）。流量センサ３６にエラーが発生していれば、ミキシングバルブ３１による設定温度への調整を停止し（ステップ２８）、制御回路７１の有する初期値、例えば４２℃に設定する（ステップ２９）。流量センサ３６で検知される湯水の給湯量が１リットルに達するか、１分経過して流量センサ３６の故障フラグを発生させたら（ステップ３０）、給湯用電動弁３５を閉じる（ステップ３１）。
【００４１】
続いて、図９に示すように、浴槽１１内の残湯の有無を確認する処理を開始する。すなわち、流路切換用電動弁３８で往き配管４０と戻り配管４１とを接続する流路に切り換え（ステップ３２）、循環ポンプ４３を駆動し（ステップ３３）、例えば１分の循環確認タイマをスタートさせる（ステップ３４）。これにより、循環路３９内の湯水を循環させ、湯水１１に残湯がなければ循環しなくなり、残湯があれば循環を継続することになる。
【００４２】
浴槽１１に残湯がない場合には、循環開始直後に循環路３９内の湯水が循環してフロースイッチ４４がオンし（ステップ３５）、その後、循環路３９内の湯水が浴槽１１に出てフロースイッチ４４がオフし（ステップ３６）、循環ポンプ４３を停止させる（ステップ３７）。
【００４３】
浴槽１１の残湯の有無にかかわらず、例えば循環ポンプ４３が回転しない場合やフロースイッチ４４の異常などが発生すると、循環開始後にフロースイッチ４４がオンしないまま、循環確認タイマ（１分タイマ）がタイムアップし（ステップ３８）、ステップ３０での流量センサ３６の故障フラグが成立しているか判断し（ステップ３９）、成立していればリモコン５１にエラーを表示して湯はりを停止する（ステップ４０，４１）。故障フラグが成立していなければ、ステップ３７に進む。
【００４４】
浴槽１１に残湯がある場合には、循環路３９と浴槽１１との間で湯水の循環が継続してフロースイッチ４４がオフしないまま循環確認タイマ（１分タイマ）がタイムアップし（ステップ４２）、基準データを持っていない初回湯はりであれば（ステップ４３）、湯はりを途中終了し（ステップ４４）、保温運転に移行する（ステップ４５）。また、基準データを持っていて次回湯はりであれば（なお、初回湯はりの説明であるが、ステップ１１からステップ６１までは、初回湯はりと次回湯はりで共通であるため、ここで説明する）、循環路３９内に循環される浴槽１１の湯水の湯温をふろサーミスタ４５で測定し（ステップ４６）、湯温がリモコン５１で設定される設定温度より所定温度、例えば−１０℃以下であれば（ステップ４７）、保温を禁止し、リモコン５１にエラーを表示して湯はりを停止し（ステップ４８，４９）、一方、−１０℃以内であれば、保温を許容し、湯はりを途中終了し（ステップ５０）、保温運転に移行する（ステップ５１）。
【００４５】
続いて、図１０に示すように、循環路３９の戻り配管４１に湯水を満たしてエア抜きする処理を開始する。すなわち、流路切換用電動弁３８で給湯路３７と戻り配管４１とを接続する流路に切り換え（ステップ５２）、給湯用電動弁３５を開き（ステップ５３）、流量センサ３６による流量のカウントをスタートする（ステップ５４）。これにより、ミキシングバルブ３１で設定温度に調整された湯水を給湯路３７から戻り配管４１の１管を通じて給湯するとともに戻り配管４１内に満たしてエア抜きする。このとき、湯水を戻り配管４１の１管を通じて給湯することにより、戻り配管４１内を流れる湯水の圧力が高く、流量も多くなるので、戻り配管４１内のエア抜きを確実にでき、圧力センサ４７による圧力検知を確実にできる。
【００４６】
流量センサ３６で検知される湯水の給湯量が所定量、例えば７リットルに達するまでの間は（ステップ５５）、流量センサ３６にエラーが発生しているか（ステップ５６）、給湯を開始してから所定時間、例えば２分経過したか判断する（ステップ５７）。流量センサ３６にエラーが発生していれば、ミキシングバルブ３１による設定温度への調整を停止し（ステップ５８）、制御回路７１の有する初期値、例えば４２℃に設定する（ステップ５９）。流量センサ３６で検知される湯水の給湯量が７リットルに達する前に２分経過したら、ステップ３０での流量センサ３６の故障フラグが成立しているか判断し（ステップ６０）、成立していればリモコン５１にエラーを表示し（ステップ６１）、ステップ６２に進み、また、故障フラグが成立していなければ、そのままステップ６２に進む。
【００４７】
なお、戻り配管４１を通じて給湯される湯水の給湯量が７リットルに達するか２分経過するまでに給湯された総給湯量での浴槽１１内での水位は、循環金具４２より下方にある。
【００４８】
続いて、図１１に示すように、戻り配管４１を通じて給湯される湯水の給湯量が７リットルに達するか２分経過したら、循環金具４２の高さおよび基準水位Ｘ１（図１参照）のデータ取りの処理を開始する。すなわち、流路切換用電動弁３８で給湯路３７と往き配管４０とを接続する流路に切り換え（ステップ６２）、往き配管４０の１管を通じて浴槽１１に給湯を継続しながら、浴槽１１内の水位が循環金具４２の高さに達して戻り配管４１内に満たされた湯水を介して浴槽１１内の水圧が圧力センサ４７に加わることで圧力センサ４７により検知される圧力が変化するか（ステップ６３）、ステップ２で自動継続タイマがスタートしてから５０分経過するか総給湯量が１８０リットルに達するのを監視する（ステップ６４）。
【００４９】
この状態では、図５（ａ）（ｂ）に示すように、戻り配管４１内に満たされた湯水の圧力を圧力センサ４７で検知していて、圧力センサ４７の圧力値Ｐ０は一定になっている。そして、浴槽１１内の湯水の水位が循環金具４２の高さに達して浴槽１１内の湯水と戻り配管４１内の湯水とがつながることで、それまで戻り配管４１内に満たされた湯水の圧力を検知していて一定だった圧力センサ４７の圧力値が上昇変化を開始することになる。このときの圧力センサ４７で検知される圧力値が基準値としてＲＡＭ７５に記憶される。
【００５０】
浴槽１１内の水位が循環金具４２の高さの水位Ｘ０（図１参照）に達し、戻り配管４１内に満たされた湯水を介して浴槽１１内の水圧が圧力センサ４７に加わり、圧力センサ４７により圧力変化が検知されたとき、圧力値Ｐ０に変動がなければ、ＲＡＭ７５に記憶された圧力値Ｐ０を基準値とする。例えば、図５（ａ）に破線で示すように、戻り配管４１内に湯水を満たしてもエアが残っていた場合など、圧力センサ４７で検知されていた圧力値Ｐ０が圧力値Ｐ１に下降変動したときには、ＲＡＭ７５に記憶された圧力値Ｐ０をクリアし、変動した後の圧力値Ｐ１を新たな基準値としてＲＡＭ７５に記憶する。また、図５（ｂ）に破線で示すように、戻り配管４１内に湯水を満たした後に戻り配管４１内のエアが抜けて減った場合など、圧力センサ４７で検知されていた圧力値Ｐ０が圧力値Ｐ２に急激に上昇変動したときには、ＲＡＭ７５に記憶された圧力値Ｐ０をクリアし、変動した後の圧力値Ｐ２を新たな基準値としてＲＡＭ７５に記憶する。
【００５１】
ＲＡＭ７５に記憶された圧力値の基準値を基準として循環金具４２が水没する基準水位Ｘ１に達するまで給湯する。すなわち、圧力センサ４７の検出電圧をＡ／Ｄ変換してＣＰＵ７３に入力しており、ＣＰＵ７３では圧力変化点を基準として水位の上昇に伴う圧力センサ４７の圧力変化つまり水位変化を＋１ポイントとしてカウントしていく。そして、ＣＰＵ７３でのカウント値が所定値、例えば＋１１ポイントに達するか（ステップ６５）、ステップ２で自動継続タイマがスタートしてから６０分経過するのを監視する（ステップ６６）。ＣＰＵ７３でのカウント値が＋１１ポイントに達し、つまり圧力変化点を基準として循環金具４２が水没する基準水位Ｘ１に達すれば、給湯用電動弁３５を閉じる（ステップ６７）。
【００５２】
また、ステップ６３で圧力変化がなく、ステップ６４で自動継続タイマがスタートしてから５０分経過するか総給湯量が１８０リットルに達した場合には、異常とし、リモコン５１にエラーを表示し（ステップ６８）、一方、ステップ６５でＣＰＵ７３でのカウント値が＋１１ポイントに達する前に、ステップ６６で自動継続タイマがスタートしてから６０分経過したら、異常とし、リモコン５１にエラーを表示する（ステップ６９）。これら異常は、圧力変化点の検知を開始するときに既に循環金具４２より上方に水位があって圧力変化点を検知できない場合や、浴槽１１の排水栓が外れた場合などを原因としている。この場合、浴槽１１内の湯量（例えば浴槽１１と循環路３９との間で循環動作させてフロースイッチ４４がオンするかどうかで判断する）または水位を確認して湯水はあるか判断し（ステップ７０，７１）、浴槽１１に湯水がある場合には湯はりを完了し（ステップ７２）、保温運転に移行し（ステップ７３）、浴槽１１に湯水がない場合には湯はりを停止する（ステップ７４）。
【００５３】
続いて、図１２に示すように、浴槽１１に循環金具４２が水没する基準水位Ｘ１に給湯された後、循環ポンプ４３の回転確認の処理を開始する。すなわち、流路切換用電動弁３８で往き配管４０と戻り配管４１とを接続する流路に切り換え（ステップ７５）、循環ポンプ４３を駆動し（ステップ７６）、その所定時間後、例えば２０秒経過後に（ステップ７７）、循環ポンプ４３を停止し（ステップ７８）、循環路３９の往き配管４０および戻り配管４１内のエア抜きを確実にする。その所定時間後、例えば１０秒経過後に（ステップ７９）、循環ポンプ４３を再度駆動し（ステップ８０）、フロースイッチ４４がオン状態になるか（ステップ８１）、５分経過するのを監視する（ステップ８２）。
【００５４】
循環ポンプ４３が正常に動作すれば、浴槽１１と循環路３９との間で湯水が循環し、フロースイッチ４４がオン状態になるので、循環ポンプ４３を停止させる（ステップ８３）。
【００５５】
循環ポンプ４３の異常で、５分経過してもフロースイッチ４４がオン状態にならなければ、リモコン５１にエラーを表示し（ステップ８４）、湯はりを停止する（ステップ８５）。
【００５６】
続いて、図１３に示すように、循環ポンプ４３の回転が正常であることが確認された後、浴槽１１の形状などに対応した固有の水位と給湯量との対応関係のデータ取りをしつつ設定水位までの湯はりを開始する。すなわち、流路切換用電動弁３８で給湯路３７と往き配管４０とを接続する流路に切り換え（ステップ８６）、圧力センサ４７で検知される圧力に対応する水位を基準水位Ｘ１とし、この基準水位Ｘ１とこの時点までの総給湯量とを対応させてＲＡＭ７５に記憶する（ステップ８７）。
【００５７】
給湯用電動弁３５を開き（ステップ８８）、ミキシングバルブ３１で設定温度に調整された湯水を給湯路３７から往き配管４０の１管を通じて浴槽１１に給湯しながら、圧力センサ４７で検知される水圧変化、つまり水位変化を監視する。リモコン５１で設定された湯はり設定水位Ｘｎに達するか（ステップ８９）、データ取りを開始してから６０分経過するのを監視しながら（ステップ９０）、基準水位Ｘ１から予め設定された各水位ポイントＸ２，Ｘ３，Ｘ４…に達する毎に、各水位ポイントＸ２，Ｘ３，Ｘ４…と各水位ポイントＸ２，Ｘ３…の時点までの各総給湯量を対応させてＲＡＭ７５に順次記憶する（ステップ９１）。なお、基準水位Ｘ１および各水位ポイントＸ２，Ｘ３…は、リモコン５１に表示された浴槽水位の目盛と対応している。
【００５８】
浴槽１１の水位が湯はり設定水位Ｘｎに達したことが検知されたら、給湯用電動弁３５を閉じ（ステップ９２）、初回湯はりを完了する（ステップ９３）。
【００５９】
浴槽１１の水位が湯はり設定水位Ｘｎに達する前に、６０分経過したら、リモコン５１にエラーを表示し（ステップ９４）、保温運転に移行する（ステップ９５）。
【００６０】
続いて、初回湯はりを完了した後、配管などの熱損失による湯温の低下の確認の処理を開始する。すなわち、流路切換用電動弁３８で往き配管４０と戻り配管４１とを接続する流路に切り換え（ステップ９６）、浴槽１１の残湯が６０リットル以上あるか確認し（ステップ９７）、６０リットル以下であれば湯温確認をせずに保温運転に移行する（ステップ９８）。また、６０リットル以上あれば、循環ポンプ４３を駆動し（ステップ９９）、その所定時間後、浴槽１１内の湯水が循環路３９内に引き込まれてふろサーミスタ４５の箇所を循環する例えば３秒経過後に（ステップ１００）、ふろサーミスタ４５で湯温を測定し（ステップ１０１）、測定湯温が設定温度から−０．５℃以内であれば（ステップ１０２）、保温運転に移行し（ステップ１０３）、−０．５℃以上であれば、次回湯はり時にミキシングバルブ３１の調整温度を高めて設定温度になるように補正処理する（ステップ１０４）。
【００６１】
このように、初回湯はりでは、流路切換用電動弁３８で給湯路３７と戻り配管４１とを接続させて所定量の湯水を戻り配管４１に給湯した後、流路切換用電動弁３８で給湯路３７と往き配管４０とを接続させて往き配管４０を通じて浴槽１１に給湯し、浴槽１１の水位が戻り配管４１の接続高さに達して浴槽１１内の水圧が圧力センサ４７に加わる圧力変化点を検知してから、湯はり設定水位Ｘｎまでの水位と給湯量との対応関係をＲＡＭ７５に記憶させるので、浴槽１１の形状などに対応した固有の水位と給湯量との対応関係のデータ取りを確実にできる。
【００６２】
また、浴槽１１内の湯水の水位が戻り配管４１の接続高さに達する時点までに圧力センサ４７で検知される圧力値が変動したとき、その変動した圧力値を基準として湯はり設定水位に対応した圧力変化分を給湯して湯はりするので、戻り配管４１内に残るエアや配管条件などの影響による圧力センサ４７で検知する圧力値の変動に対応でき、湯はり設定水位に正確に湯はりできる。
【００６３】
しかも、圧力センサ４７で検知される圧力値が下降変動したとき、その下降変動した圧力値を基準とするので、圧力値の変動を確実に捉えることができる。また、圧力センサ４７で検知される圧力値が上昇変動しかつ水位上昇時の上昇変化よりも大きく上昇変動したとき、上昇変動した圧力値を基準とするので、圧力値の変動を確実に捉えることができる。
【００６４】
次に、図１４ないし図１６のフローチャートを参照して、次回湯はりについて説明する。次回湯はりでは、初回湯はりにデータ取りされた浴槽１１の形状などに対応した固有の水位と給湯量との対応関係に基づいて、湯はり設定水位に対して短時間にかつ正確に湯はりするようにしている。
【００６５】
リモコン５１のふろ自動スイッチ５５のオンにより、次回湯はり動作を開始すると、図１４に示すように、まず、初回湯はりで説明したステップ１１ないしステップ６１までの処理を実行する。この処理により、循環路３９の往き配管４０に湯水を満たして循環ポンプ４３の呼び水とする処理、循環路３９の戻り配管４１に湯水を満たす処理、浴槽１１内の残湯の有無を確認する処理、さらに、循環路３９の戻り配管４１に湯水を満たしてエア抜きする処理を順に実行する。
【００６６】
そして、循環路３９の戻り配管４１に湯水を満たしてエア抜きする処理時に、ミキシングバルブ３１で設定温度に調整された湯水を給湯路３７から戻り配管４１の１管を通じて給湯している状態において、ステップ５５で戻り配管４１を通じて給湯される湯水の給湯量が７リットルに達するか、ステップ５７で２分経過したら、流路切換用電動弁３８で給湯路３７と往き配管４０および戻り配管４１とを接続する流路に切り換え（ステップ１１１）、往き配管４０および戻り配管４１の２管を通じて浴槽１１に給湯を開始するとともに、流量センサ３６による流量のカウントをスタートする（ステップ１１２）。
【００６７】
ステップ２の自動継続タイマがスタートしてから６０分経過しておらず（ステップ１１３）、今回の湯はり時にリモコン５１で設定された湯はり設定水位について、初回湯はり時または以前の次回湯はり時にデータ取りしてＲＡＭ７５に記憶してある場合（ステップ１１４）、ＲＡＭ７５から湯はり設定水位に対応する給湯量を判別して今回の湯はりで給湯する湯水の設定量とし、今回の湯はりの開始時点からの給湯量が設定量に達するのを監視する（ステップ１１５）。
【００６８】
今回の湯はりの開始時点からの給湯量が設定量に達したら、給湯用電動弁３５を閉じ（ステップ１１６）、次回湯はりを完了する（ステップ１１７）。
【００６９】
この今回の湯はりを完了した後、配管などの熱損失による湯温の低下の確認の処理を開始する。すなわち、流路切換用電動弁３８で往き配管４０と戻り配管４１とを接続する流路に切り換え（ステップ１１８）、浴槽１１の残湯が６０リットル以上あるか確認し（ステップ１１９）、６０リットル以下であれば湯温確認をせずに保温運転に移行する（ステップ１２０）。また、６０リットル以上あれば、循環ポンプ４３を駆動し（ステップ１２１）、その所定時間後、浴槽１１内の湯水が循環路３９内に引き込まれてふろサーミスタ４５の箇所を循環する例えば３秒経過後に（ステップ１２２）、ふろサーミスタ４５で湯温を測定し（ステップ１２３）、測定湯温が設定温度から−０．５℃以内であれば（ステップ１２４）、保温運転に移行し（ステップ１２５）、−０．５℃以上であれば、次回の湯はり時にミキシングバルブ３１の調整温度を高めて設定温度になるように補正処理する（ステップ１２６）。
【００７０】
また、ステップ１１３において、自動継続タイマがスタートしてから６０分経過したら、リモコン５１にエラーを表示し（ステップ１２７）、浴槽１１内の湯量または水位を確認して湯水はあるか判断し（ステップ１２８，１２９）、浴槽１１に湯水がある場合には湯はりを完了して保温運転に移行し（ステップ１３０，１３１）、浴槽１１に湯水がない場合には湯はりを停止する（ステップ１３２）。
【００７１】
また、ステップ１１４において、今回の湯はり時に、リモコン５１で設定された湯はり設定水位が、初回湯はり時または以前の次回湯はり時にデータ取りしてＲＡＭ７５に記憶した水位より、高い水位が設定された場合、その水位までの給湯量との対応関係のデータ取りをしつつ設定水位までの湯はり開始する。
【００７２】
すなわち、図１５に示すように、リモコン５１で設定された設定水位の直ぐ下の水位（リモコン５１に表示される浴槽水位の目盛の１つ下の水位）のデータがあるか（ステップ１３３）、なければその下の水位のデータがあるか（ステップ１３４）というように、順に下の水位について水位と給湯量との対応関係のデータがある水位を確認は、データのある水位が確認されれば、その水位に対応する給湯量の設定量まで今回の湯はりの開始時点からの給湯量が達するのを監視する（ステップ１３５）。
【００７３】
仮に、順に下の水位のデータがあるかを確認していって、最低水位設定まで達した場合には（ステップ１３６）、エラーが発生しているものとし（ステップ１３７）、湯はりを途中終了し（ステップ１３８）、保温運転に移行する（ステップ１３９）。
【００７４】
データのある水位に対応する給湯量の設定量まで、今回の湯はりの開始時点からの給湯量が達したら、給湯用電動弁３５を閉じ（ステップ１４０）、循環ポンプ４３の回転確認の処理を開始する。すなわち、流路切換用電動弁３８で往き配管４０と戻り配管４１とを接続する流路に切り換え（ステップ１４１）、循環ポンプ４３を駆動し（ステップ１４２）、その所定時間後、例えば２０秒経過後に（ステップ１４３）、循環ポンプ４３を停止し（ステップ１４４）、循環ポンプ４３をエア抜きする。その所定時間後、例えば１０秒経過後に（ステップ１４５）、循環ポンプ４３を再度駆動し（ステップ１４６）、フロースイッチ４４がオン状態になるか（ステップ１４７）、５分経過するのを監視する（ステップ１４８）。
【００７５】
循環ポンプ４３が正常に動作すれば、浴槽１１と循環路３９との間で湯水が循環し、フロースイッチ４４がオン状態になるので、循環ポンプ４３を停止させる（ステップ１４９）。
【００７６】
循環ポンプ４３の異常で、５分経過してもフロースイッチ４４がオン状態にならなければ、リモコン５１にエラーを表示し（ステップ１５０）、湯はりを停止する（ステップ１５１）。
【００７７】
続いて、図１６に示すように、循環ポンプ４３の回転が正常であることが確認された後、浴槽１１の形状などに対応した固有の水位と給湯量との対応関係のデータ取りをしつつ設定水位までの湯はりを開始する。すなわち、流路切換用電動弁３８で給湯路３７と往き配管４０とを接続する流路に切り換え（ステップ１５２）、給湯用電動弁３５を開き（ステップ１５３）、ミキシングバルブ３１で設定温度に調整された湯水を給湯路３７から往き配管４０の１管を通じて浴槽１１に給湯しながら、圧力センサ４７で検知される水圧変化、つまり水位変化を監視する。リモコン５１で設定された湯はり設定水位Ｘｎに達するか（ステップ１５４）、データ取りを開始してから６０分経過するのを監視しながら（ステップ１５５）、データの有する水位から予め設定された各水位ポイント（リモコン５１に表示された浴槽水位の目盛と対応している）に達する毎に、各水位ポイントと各水位ポイントの時点までの各総給湯量を対応させてＲＡＭ７５に順次記憶する（ステップ１５６）。
【００７８】
浴槽１１の水位が湯はり設定水位に達したことが検知されたら、給湯用電動弁３５を閉じ（ステップ１５７）、初回湯はりを完了する（ステップ１５８）。
【００７９】
浴槽１１の水位が湯はり設定水位に達する前に、６０分経過したら、リモコン５１にエラーを表示し（ステップ１５９）、保温運転に移行する（ステップ１６０）。
【００８０】
続いて、初回湯はりを完了した後、配管などの熱損失による湯温の低下の確認の処理を開始する。すなわち、流路切換用電動弁３８で往き配管４０と戻り配管４１とを接続する流路に切り換え（ステップ１６１）、浴槽１１の残湯が６０リットル以上あるか確認し（ステップ１６２）、６０リットル以下であれば湯温確認をせずに保温運転に移行する（ステップ１６３）。また、６０リットル以上あれば、循環ポンプ４３を駆動し（ステップ１６４）、その所定時間後、浴槽１１内の湯水が循環路３９内に引き込まれてふろサーミスタ４５の箇所を循環する例えば３秒経過後に（ステップ１６５）、ふろサーミスタ４５で湯温を測定し（ステップ１６６）、測定湯温が設定温度から−０．５℃以内であれば（ステップ１６７）、保温運転に移行し（ステップ１６８）、−０．５℃以上であれば、次回湯はり時にミキシングバルブ３１の調整温度を高めて設定温度になるように補正処理する（ステップ１６９）。
【００８１】
このように、次回湯はりでは、ＲＡＭ７５に水位と給湯量との対応関係が記憶されている状態で、流路切換用電動弁３８で給湯路３７と戻り配管４１とを接続させて所定量の湯水を戻り配管４１に給湯した後、流路切換用電動弁３８で給湯路３７に対して往き配管４０および戻り配管４１の２管が接続する流路に切り換え、ＲＡＭ７５に記憶されている水位と給湯量との対応関係に基づいて湯はり設定水位に対応する給湯量分を流量センサ３６で監視しながら給湯するので、湯はり設定水位に対して短時間にかつ正確に湯はりできる。
【００８２】
さらに、往き配管４０および戻り配管４１に１管ずつ給湯することにより、往き配管４０および戻り配管４１に確実に湯水を満たすことができ、湯はり途中での循環確認などをスムーズにでき、湯はり時間の短縮を図ることができる。
【００８３】
しかも、データのない水位がリモコン５１で湯はり水位として設定された場合でも、データ取りしつつ湯はり設定水位まで湯はりすることができる。このとき、次回湯はり時でも、流路切換用電動弁３８で給湯路３７と戻り配管４１とを接続して、湯水を戻り配管４１の１管を通じて給湯することにより、圧力センサ４７が設けられた戻り配管４１内のエア抜きを確実にしているので、圧力センサ４７による浴槽１１内の水位の検知が確実であり、浴槽１１の形状などに対応した固有の水位と給湯量との対応関係のデータ取りを確実にできる。
【００８４】
なお、次回湯はり時において、湯はり設定水位に対応する給湯量分を給湯するとき、往き配管40と戻り配管41の２管で給湯することにより、給湯効率を高めて湯はり時間を短縮することができるが、往き配管40のみの１管でこの往き配管41に設けた循環ポンプ43を駆動するようにしてもよい。これは、配管条件、給湯圧力不足、２階に設置された浴槽11への湯はりなどによっては、往き配管40のみの１管でこの往き配管41に設けた循環ポンプ43を駆動する方が、加圧給湯することで、２管給湯に比べて給湯効率を高めて湯はり時間を短縮することができる場合があることを理由とする。このようなことを考慮して、設置後の湯はり時に、２管給湯での給湯量と１管給湯での給湯量とを流量センサ36で測定し、それらを比較し、給湯効率のよい給湯方式を選択するように自動切換するようにしてもよい。また、流量センサ36がないタイプの浴槽用給湯装置では、制御回路71に切換スイッチを接続して手動切換できるようにしてもよい。また、初回湯はり時および次回湯はり時にかかわらず、往き配管40の１管を通じて浴槽11に給湯するときに、循環ポンプ43を駆動することにより、湯はり時間を短縮できる。
【００８５】
また、流量センサ３６および圧力センサ４７の両方を備えることにより、次回湯はり時において、流量センサ３６または圧力センサ４７のいずれか一方に故障が生じていても、正常な他方の検知に基づいて湯はりをすることができる。この場合、ＣＰＵ７３は、流量センサ３６および圧力センサ４７の故障を検知する故障検知手段の機能、流量センサ３６および圧力センサ４７のいずれか一方が故障したときに他方の検知に基づいて湯はりする故障時湯はり手段の機能を備える。
【００８６】
すなわち、図１７に示すように、流量センサ３６の検知に基づいて湯はり設定水位に対応する給湯量分を給湯して湯はりする次回湯はりが開始された処理中において、給湯用電動弁３５が開かれていて実際に湯水が流れているとき、流量センサ３６で湯水の流れを検知しているか判断し（ステップ２０１）、検知していれば流量センサ３６の検知に基づいて正常な湯はり処理を継続し（ステップ２０２）、検知しなければ流量センサ３６の故障と判断し、圧力センサ４７による湯はり処理に変更する（ステップ２０３）。つまり、往き配管４０を通じて浴槽１１に給湯しながら、戻り配管４１の圧力センサ４７で検知される圧力値の変化から浴槽１１内の水位を監視し、湯はり設定水位まで湯はりする。このとき、圧力センサ４７で圧力値の変化を検知しているか判断し（ステップ２０４）、検知していれば圧力センサ４７による湯はり処理を継続し（ステップ２０５）、検知しなければ圧力センサ４７の故障と判断し、湯はりを中止する（ステップ２０６）。
【００８７】
図１８に示すように、次回湯はり時に、ステップ１１４でデータの無い湯はり設定水位まで湯はりするために、圧力センサ４７の検知に基づいて湯はり設定水位に湯はりする処理中において、往き配管４０を通じて浴槽１１に給湯しながら、戻り配管４１の圧力センサ４７で検知される圧力値の変化から浴槽１１内の水位を監視し、湯はり設定水位まで湯はりするとき、圧力センサ４７で圧力値の変化を検知しているか判断し（ステップ３０１）、検知していれば圧力センサ４７による湯はり処理を継続し（ステップ３０２）、検知しなければ圧力センサ４７の故障と判断し、流量センサ３６による湯はり処理に変更する（ステップ３０３）。つまり、流量センサ３６で流量を検知しながら、給湯開始時点からの総給湯量を監視し、所定量の湯水を給湯する。このとき、流量センサ３６で湯水の流れを検知しているか判断し（ステップ３０４）、検知していれば流量センサ３６による湯はり処理を継続し（ステップ３０５）、検知しなければ流量センサ３６の故障と判断し、湯はりを中止する（ステップ３０６）。
【００８８】
そして、流量センサ３６および圧力センサ４７のいずれか一方が故障したときには、リモコン５１などでエラーを表示するが、サービスマンを呼んで修理するまでの間でも、浴槽１１に湯はりでき、入浴を可能にできる。
【００８９】
また、浴槽１１に自動湯はりする湯はり設定水位は、使用者の好みに応じて任意に設定することもできる。例えば、リモコン５１の２つのスイッチを同時に押したり、リモコン５１に別に設けるお好みモードスイッチなどを押し、お好みモード（水位記憶湯はりモード）に設定し、このモード状態で、ふろ自動スイッチ５５を押すことで浴槽１１への給湯を開始し、浴槽１１の水位が使用者の好みの水位に達したら、ふろ自動スイッチ５５を再度押すことで給湯を止め、それまでの給湯量をＲＡＭ７５に記憶し、そして、次回の湯はり時に、ＲＡＭ７５に記憶された給湯量を給湯して湯はりするようにする。
【００９０】
これにより、浴槽１１の形状などで予め設定された湯はり設定水位では対応できない場合でも、お好みモードを利用することで対応できる。
【００９１】
この場合、リモコン５１のスイッチはお好みモード設定手段として機能し、ふろ自動スイッチ５５はお好み量設定手段として機能し、ＲＡＭ７５はお好み量設定手段で設定された給湯量を記憶する記憶手段として機能し、ＣＰＵ７３はＲＡＭ７５に記憶された給湯量に対応して湯はりする湯はり手段の機能を有している。
【００９２】
また、電気温水器１２内の湯水温度が設定温度に達していれば湯はりを許容するとともに設定温度に達していなければ湯はりを禁止するが、制御回路７１をリセットした後の初回湯はり時にのみにおいて、電気温水器１２内の湯水温度が設定温度に達していない水の場合でも湯はりを許容するようにしてもよい。一般的に、設置業者により浴槽用給湯装置を設置した直後は、電気温水器１２内の湯水は常温で設定温度に沸き上がっていないため、湯はりができず、後日、設置業者が出なおして湯はりを確認しなければならないが、電気温水器１２内の湯水温度が設定温度に達していなくても湯はりを許容することで、設置直後の湯はり確認を可能にできる。なお、次回湯はり時には電気温水器１２内の湯水温度が設定温度に達していなければ湯はりを禁止する。そのため、使用者が間違って水で湯はりするのを防止できる。
【００９３】
この場合、ＣＰＵ７３は、初回湯はり時において、電気温水器１２内の湯水温度が設定温度に達していなくても湯はりを許容し、次回湯はり時には電気温水器１２内の湯水温度が設定温度に達していなければ湯はりを禁止する制御手段の機能を有する。
【００９４】
また、循環ポンプ４３は戻り配管４１に配設してもよく、この場合、戻り配管４１への１管給湯により循環ポンプ４３の差し水と循環ポンプ３および圧力センサ４７に対するエア抜きとを同時に済ませることができ、湯はり時の工程を省略でき、湯はり時間を短縮できる。
【００９５】
また、流路切換手段としては、４つの流路に切り換える１つの一体形の流路切換弁に限らず、給湯路３７、往き配管４０および戻り配管４１にそれぞれ汎用の開閉弁を配設し、これらの３つの開閉弁の開閉の組み合わせで流路を切り換えるようにしてもよく、汎用の開閉弁を利用できる。
【００９６】
【発明の効果】
請求項１記載の浴槽用給湯装置によれば、浴槽への湯はり時に、流路切換手段による流路切換で給湯路から少なくとも戻り配管に給湯させて戻り配管内に湯水を満たし、この戻り配管内に湯水を満たした状態で流路切換手段による流路切換により給湯路から往き配管を通じて浴槽に給湯させながら、戻り配管に設けられている圧力センサで検知される圧力を監視し、浴槽内の湯水の水位が戻り配管の接続高さに達して浴槽内の湯水の水圧が圧力センサに加わることによる圧力変化が検知された時点で、圧力センサで検知される圧力値が変動しているとき、その変動した圧力値を基準として湯はり設定水位に対応した圧力変化分を給湯して湯はりするので、戻り配管内に残るエアや配管条件などの影響による圧力センサで検知する圧力値の変動に対応でき、湯はり設定水位に正確に湯はりできる。
【００９７】
請求項２記載の浴槽用給湯装置によれば、請求項１記載の浴槽用給湯装置の効果に加えて、圧力センサで検知される圧力値が下降変動したとき、その下降変動した圧力値を基準とするので、圧力値の変動を確実に捉えることができる。
【００９８】
請求項３記載の浴槽用給湯装置によれば、請求項１または２記載の浴槽用給湯装置の効果に加えて、圧力センサで検知される圧力値が上昇変動しかつ水位上昇時の上昇変化よりも大きく上昇変動したとき、上昇変動した圧力値を基準とするので、圧力値の変動を確実に捉えることができる。
【図面の簡単な説明】
【図１】本発明の一実施の形態を示す浴槽用給湯装置の構成図である。
【図２】同上（ａ）（ｃ）（ｅ）（ｇ）は浴槽用給湯装置の流路切換用電動弁の流路切換状態を示す説明図、（ｂ）（ｄ）（ｆ）（ｈ）は浴槽用給湯装置の流路切換用電動弁の流路切換状態を示す模式図である。
【図３】同上浴槽用給湯装置のリモコンの正面図である。
【図４】同上浴槽用給湯装置のブロック図である。
【図５】同上（ａ）は圧力センサで検知する圧力値の下降変動と湯はり設定水位に対応した圧力変化との関係を説明する説明図、（ｂ）は圧力センサで検知する圧力値の上昇変動と湯はり設定水位に対応した圧力変化との関係を説明する説明図である。
【図６】同上浴槽用給湯装置の湯はりのフローチャートである。
【図７】同上初回湯はりのフローチャートである。
【図８】同上図７に続くフローチャートである。
【図９】同上図８に続くフローチャートである。
【図１０】同上図９に続くフローチャートである。
【図１１】同上図１０に続くフローチャートである。
【図１２】同上図１１に続くフローチャートである。
【図１３】同上図１２に続くフローチャートである。
【図１４】同上次回湯はりのフローチャートである。
【図１５】同上図１４に続くフローチャートである。
【図１６】同上図１５に続くフローチャートである。
【図１７】同上流量センサの故障時のフローチャートである。
【図１８】同上圧力センサの故障時のフローチャートである。
【図１９】同上（ａ）は圧力センサで検知する圧力値の下降変動と湯はり設定水位に対応した圧力変化との関係を説明する説明図、（ｂ）は圧力センサで検知する圧力値の上昇変動と湯はり設定水位に対応した圧力変化との関係を説明する説明図である。
【符号の説明】
１１    浴槽
３７    給湯路
３８    流路切換手段としての流路切換用電動弁
３９    循環路
４０    往き配管
４１    戻り配管
４３    循環ポンプ
４７    圧力センサ
７３    湯はり制御手段および補正制御手段としてのＣＰＵ
【図１】
0004046310.tif 000002
【図２】
0004046310.tif 000003
【図３】
0004046310.tif 000004
【図４】
0004046310.tif 000005
【図５】
0004046310.tif 000006
【図６】
0004046310.tif 000007
【図７】
0004046310.tif 000008
【図８】
0004046310.tif 000009
【図９】
0004046310.tif 000010
【図１０】
0004046310.tif 000011
【図１１】
0004046310.tif 000012
【図１２】
0004046310.tif 000013
【図１３】
0004046310.tif 000014
【図１４】
0004046310.tif 000015
【図１５】
0004046310.tif 000016
【図１６】
0004046310.tif 000017
【図１７】
0004046310.tif 000018
【図１８】
0004046310.tif 000019
【図１９】
0004046310.tif 000020